【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  画像を生成するための画像生成装置であって、
オブジェクト空間内で移動体を移動させる演算を行う手段と、
オブジェクト空間内の所与の視点での画像を生成するための仮想カメラを制御する手段と、
移動体が仮想カメラに近づいた場合に、仮想カメラの所与の軸回りでの回転及び仮想カメラの位置の少なくとも一方に対して揺らぎを与える手段と、
仮想カメラから見える画像を生成する手段と、
を含むことを特徴とする画像生成装置。
【請求項２】  請求項１において、
移動体の速度及び移動体からの距離の少なくとも一方に応じた揺らぎを、仮想カメラの所与の軸回りでの回転及び仮想カメラの位置の少なくとも一方に対して与えることを特徴とする画像生成装置。
【請求項３】  請求項１又は２において、
移動体の速度が速いほど広くなる、或いは移動体からの距離が近いほど広くなる揺らぎ範囲を求め、該揺らぎ範囲内の揺らぎを、仮想カメラの所与の軸回りでの回転及び仮想カメラの位置の少なくとも一方に対して与えることを特徴とする画像生成装置。
【請求項４】  請求項１乃至３のいずれかにおいて、
移動体の速度が所与の速度以下の場合、或いは移動体からの距離が所与の距離以上の場合に、揺らぎを零或いはほぼ零にすることを特徴とする画像生成装置。
【請求項５】  請求項１乃至４のいずれかにおいて、
移動体の速度が所与の速度以上の場合、或いは移動体からの距離が所与の距離以下の場合に、揺らぎの増加を制限することを特徴とする画像生成装置。
【請求項６】  請求項１乃至５のいずれかにおいて、
移動体の速度が所与の速度以下の場合に零或いはほぼ零になり移動体の速度が所与の速度以上の場合にその値の増加が制限される速度パラメータＮＶが、移動体の速度に基づき求められ、
移動体からの距離が所与の距離以上の場合に零或いはほぼ零になり移動体からの距離が所与の距離以下の場合にその値の増加が制限される距離パラメータＮＤが、移動体からの距離に基づき求められ、
ＮＶ、ＮＤの関数に基づいて揺らぎが求められることを特徴とする画像生成装置。
【請求項７】  請求項１乃至６のいずれかにおいて、
複数の移動体が仮想カメラに近づいた場合に複数の移動体の中から少なくとも１つの移動体を選択し、選択された移動体の速度及び選択された移動体からの距離の少なくとも一方に応じた揺らぎを、仮想カメラの所与の軸回りでの回転及び仮想カメラの位置の少なくとも一方に対して与えることを特徴とする画像生成装置。
【請求項８】  請求項７において、
移動体からの距離に基づいて、前記少なくとも１つの移動体が選択されることを特徴とする画像生成装置。
【請求項９】  画像を生成するための画像生成装置であって、
オブジェクト空間内の所与の視点での画像を生成するための仮想カメラを制御する手段と、
振動源からの距離に応じた揺らぎを、仮想カメラの所与の軸回りでの回転及び仮想カメラの位置の少なくとも一方に対して与える手段と、
仮想カメラから見える画像を生成する手段と、
を含むことを特徴とする画像生成装置。
【請求項１０】  請求項９において、
振動源からの距離が近いほど広くなる揺らぎ範囲を求め、該揺らぎ範囲内の揺らぎを、仮想カメラの所与の軸回りでの回転及び仮想カメラの位置の少なくとも一方に対して与えることを特徴とする画像生成装置。
【請求項１１】  請求項９又は１０において、
振動源からの距離が所与の距離以上の場合に、揺らぎを零或いはほぼ零にすることを特徴とする画像生成装置。
【請求項１２】  請求項９乃至１１のいずれかにおいて、
複数の振動源の中から少なくとも１つの振動源を選択し、選択された振動源からの距離に応じた揺らぎを、仮想カメラの所与の軸回りでの回転及び仮想カメラの位置の少なくとも一方に対して与えることを特徴とする画像生成装置。
【請求項１３】  画像を生成するための情報記憶媒体であって、
オブジェクト空間内で移動体を移動させる演算を行う手段と、
オブジェクト空間内の所与の視点での画像を生成するための仮想カメラを制御する手段と、
移動体が仮想カメラに近づいた場合に、仮想カメラの所与の軸回りでの回転及び仮想カメラの位置の少なくとも一方に対して揺らぎを与える手段と、
仮想カメラから見える画像を生成する手段としてコンピュータを機能させるためのプログラムを記憶することを特徴とする情報記憶媒体。
【請求項１４】  請求項１３において、
移動体の速度及び移動体からの距離の少なくとも一方に応じた揺らぎを、仮想カメラの所与の軸回りでの回転及び仮想カメラの位置の少なくとも一方に対して与えることを特徴とする情報記憶媒体。
【請求項１５】  請求項１３又は１４において、
移動体の速度が速いほど広くなる、或いは移動体からの距離が近いほど広くなる揺らぎ範囲を求め、該揺らぎ範囲内の揺らぎを、仮想カメラの所与の軸回りでの回転及び仮想カメラの位置の少なくとも一方に対して与えることを特徴とする情報記憶媒体。
【請求項１６】  請求項１３乃至１５のいずれかにおいて、
移動体の速度が所与の速度以下の場合、或いは移動体からの距離が所与の距離以上の場合に、揺らぎを零或いはほぼ零にすることを特徴とする情報記憶媒体。
【請求項１７】  請求項１３乃至１６のいずれかにおいて、
移動体の速度が所与の速度以上の場合、或いは移動体からの距離が所与の距離以下の場合に、揺らぎの増加を制限することを特徴とする情報記憶媒体。
【請求項１８】  請求項１３乃至１７のいずれかにおいて、
移動体の速度が所与の速度以下の場合に零或いはほぼ零になり移動体の速度が所与の速度以上の場合にその値の増加が制限される速度パラメータＮＶが、移動体の速度に基づき求められ、
移動体からの距離が所与の距離以上の場合に零或いはほぼ零になり移動体からの距離が所与の距離以下の場合にその値の増加が制限される距離パラメータＮＤが、移動体からの距離に基づき求められ、
ＮＶ、ＮＤの関数に基づいて揺らぎが求められることを特徴とする情報記憶媒体。
【請求項１９】  請求項１３乃至１８のいずれかにおいて、
複数の移動体が仮想カメラに近づいた場合に複数の移動体の中から少なくとも１つの移動体を選択し、選択された移動体の速度及び選択された移動体からの距離の少なくとも一方に応じた揺らぎを、仮想カメラの所与の軸回りでの回転及び仮想カメラの位置の少なくとも一方に対して与えることを特徴とする情報記憶媒体。
【請求項２０】  請求項１９において、
移動体からの距離に基づいて、前記少なくとも１つの移動体が選択されることを特徴とする情報記憶媒体。
【請求項２１】  画像を生成するための情報記憶媒体であって、
オブジェクト空間内の所与の視点での画像を生成するための仮想カメラを制御する手段と、
振動源からの距離に応じた揺らぎを、仮想カメラの所与の軸回りでの回転及び仮想カメラの位置の少なくとも一方に対して与える手段と、
仮想カメラから見える画像を生成する手段としてコンピュータを機能させるためのプログラムを記憶することを特徴とする情報記憶媒体。
【請求項２２】  請求項２１において、
振動源からの距離が近いほど広くなる揺らぎ範囲を求め、該揺らぎ範囲内の揺らぎを、仮想カメラの所与の軸回りでの回転及び仮想カメラの位置の少なくとも一方に対して与えることを特徴とする情報記憶媒体。
【請求項２３】  請求項２１又は２２において、
振動源からの距離が所与の距離以上の場合に、揺らぎを零或いはほぼ零にすることを特徴とする情報記憶媒体。
【請求項２４】  請求項２１乃至２３のいずれかにおいて、
複数の振動源の中から少なくとも１つの振動源を選択し、選択された振動源からの距離に応じた揺らぎを、仮想カメラの所与の軸回りでの回転及び仮想カメラの位置の少なくとも一方に対して与えることを特徴とする情報記憶媒体。